【手続補正書】
【提出日】平成25年11月18日(2013.11.18)
【手続補正１】
【補正対象書類名】特許請求の範囲
【補正対象項目名】全文
【補正方法】変更
【補正の内容】
【特許請求の範囲】
【請求項１】
電子書籍のページを画面に表示する画像表示部と、指の接触位置を時間経過に応じて逐次出力するタッチパネルとを備えた電子書籍表示装置であって、
当該指の接触位置が、前記画面内の少なくとも１つの所定の位置範囲のいずれかと重畳したか否かを判定する接触位置判定手段と、
前記接触位置判定手段が真の判定を行った際、当該指が重畳した所定の位置範囲に応じて、ページを捲る向きを決定する捲り向き決定手段と、
前記タッチパネルに接触した当該指によって与えられる押圧力を検出する押圧力検出部と、
前記押圧力が所定の閾値以上であるか否かを判定する押圧力判定手段と、
前記押圧力判定手段が真の判定を行った際、決定された当該向きに、ページを捲る動作を発動させる動作制御手段と
を有することを特徴とする電子書籍表示装置。
【請求項２】
前記押圧力の大きさに応じて、ページを捲る速度を決定する捲り速度決定手段を更に有しており、
前記動作制御手段は、決定された当該速度でページを捲る動作を発動させる
ことを特徴とする請求項１に記載の電子書籍表示装置。
【請求項３】
当該指の接触位置の移動を測定する接触位置移動測定手段と、
前記接触位置の移動の量に応じて、ページを捲る速度を決定する捲り速度決定手段と
を更に有しており、
前記動作制御手段は、決定された当該速度でページを捲る動作を発動させる
ことを特徴とする請求項１に記載の電子書籍表示装置。
【請求項４】
当該指の接触位置の移動を測定する接触位置移動測定手段と、
前記押圧力の大きさと前記接触位置の移動の量との両方に応じて、ページを捲る速度を決定する捲り速度決定手段と
を更に有しており、
前記動作制御手段は、決定された当該速度でページを捲る動作を発動させる
ことを特徴とする請求項１に記載の電子書籍表示装置。
【請求項５】
前記少なくとも１つの所定の位置範囲は、前記画面の右半分の全部又は一部と、該画面の左半分の全部又は一部とであり、前記捲り向き決定手段は、当該指がいずれに重畳したかに応じて、ページを捲る向きを決定することを特徴とする請求項１から４のいずれか１項に記載の電子書籍表示装置。
【請求項６】
当該指の接触位置の移動を測定する接触位置移動測定手段を更に有しており、
前記接触位置判定手段が真の判定を行い、且つ前記押圧力判定手段が偽の判定を行った際、前記捲り向き決定手段は、当該指の接触位置が重畳した所定の位置範囲に対し、前記接触位置の移動の向きに応じて、ページを捲る向きを割り当てる
ことを特徴とする請求項１から４のいずれか１項に記載の電子書籍表示装置。
【請求項７】
前記ページを捲る向きが割り当てられた所定の位置範囲を自身の表示位置範囲とするアイコンであって、該ページを捲る向きが明示されたアイコンが、表示されることを特徴とする請求項６に記載の電子書籍表示装置。
【請求項８】
前記接触位置判定手段は、前記画面に表示されたページの上隅近傍の領域であって前記少なくとも１つの所定の位置範囲とは異なる領域に、当該指の接触位置が重畳したか否かを判定し、
前記押圧力判定手段は、前記押圧力が所定の別の閾値以上であるか否かを判定し、
前記動作制御手段は、当該指の接触位置が前記領域に重畳したとの判定がなされ、且つ前記押圧力が前記別の閾値以上であるとの判定がなされた際、前記ページの上隅に折り目を表示させることを特徴とする請求項１から７のいずれか１項に記載の電子書籍表示装置。
【請求項９】
電子書籍のページを画面に表示する画像表示部と、指の接触位置を時間経過に応じて逐次出力するタッチパネルとを備えた電子書籍表示装置に搭載されたプログラムであって、
当該指の接触位置が、前記画面内の少なくとも１つの所定の位置範囲のいずれかと重畳したか否かを判定する接触位置判定手段と、
前記接触位置判定手段が真の判定を行った際、当該指が重畳した所定の位置範囲に応じて、ページを捲る向きを決定する捲り向き決定手段と、
前記タッチパネルに接触した当該指によって与えられる押圧力を検出する押圧力検出部と、
前記押圧力が所定の閾値以上であるか否かを判定する押圧力判定手段と、
前記押圧力判定手段が真の判定を行った際、決定された当該向きに、ページを捲る動作を発動させる動作制御手段と
してコンピュータを機能させることを特徴とする電子書籍表示装置用のプログラム。
【請求項１０】
電子書籍のページを画面に表示する画像表示部と、指の接触位置を時間経過に応じて逐次出力するタッチパネルとを備えた電子書籍表示装置におけるページを捲る方法であって、
当該指の接触位置が、前記画面内の少なくとも１つの所定の位置範囲のいずれかと重畳したか否かを判定する第１のステップと、
第１のステップで真の判定がなされた際、当該指が重畳した所定の位置範囲に応じて、ページを捲る向きを決定する第２のステップと、
前記タッチパネルに接触した当該指によって与えられる押圧力を検出する第３のステップと、
前記押圧力が所定の閾値以上であるか否かを判定する第４のステップと、
第４のステップで真の判定がなされた際、決定された当該向きに、ページを捲る動作を発動させる第５のステップと
を有することを特徴とするページ捲り方法。
【手続補正２】
【補正対象書類名】明細書
【補正対象項目名】００１０
【補正方法】変更
【補正の内容】
【００１０】
本発明によれば、電子書籍のページを画面に表示する画像表示部と、指の接触位置を時間経過に応じて逐次出力するタッチパネルとを備えた電子書籍表示装置であって、
当該指の接触位置が、画面内の少なくとも１つの所定の位置範囲のいずれかと重畳したか否かを判定する接触位置判定手段と、
接触位置判定手段が真の判定を行った際、当該指が重畳した所定の位置範囲に応じて、ページを捲る向きを決定する捲り向き決定手段と、
タッチパネルに接触した当該指によって与えられる押圧力を検出する押圧力検出部と、
押圧力が所定の閾値以上であるか否かを判定する押圧力判定手段と、
押圧力判定手段が真の判定を行った際、決定された当該向きに、ページを捲る動作を発動させる動作制御手段と
を有する電子書籍表示装置が提供される。
【手続補正３】
【補正対象書類名】明細書
【補正対象項目名】００１７
【補正方法】変更
【補正の内容】
【００１７】
本発明によれば、さらに、電子書籍のページを画面に表示する画像表示部と、指の接触位置を時間経過に応じて逐次出力するタッチパネルとを備えた電子書籍表示装置に搭載されたプログラムであって、
当該指の接触位置が、画面内の少なくとも１つの所定の位置範囲のいずれかと重畳したか否かを判定する接触位置判定手段と、
接触位置判定手段が真の判定を行った際、当該指が重畳した所定の位置範囲に応じて、ページを捲る向きを決定する捲り向き決定手段と、
タッチパネルに接触した当該指によって与えられる押圧力を検出する押圧力検出部と、
押圧力が所定の閾値以上であるか否かを判定する押圧力判定手段と、
押圧力判定手段が真の判定を行った際、決定された当該向きに、ページを捲る動作を発動させる動作制御手段と
してコンピュータを機能させる電子書籍表示装置用のプログラムが提供される。
【手続補正４】
【補正対象書類名】明細書
【補正対象項目名】００１８
【補正方法】変更
【補正の内容】
【００１８】
本発明によれば、さらにまた、電子書籍のページを画面に表示する画像表示部と、指の接触位置を時間経過に応じて逐次出力するタッチパネルとを備えた電子書籍表示装置におけるページを捲る方法であって、
当該指の接触位置が、画面内の少なくとも１つの所定の位置範囲のいずれかと重畳したか否かを判定する第１のステップと、
第１のステップで真の判定がなされた際、当該指が重畳した所定の位置範囲に応じて、ページを捲る向きを決定する第２のステップと、
タッチパネルに接触した当該指によって与えられる押圧力を検出する第３のステップと、
押圧力が所定の閾値以上であるか否かを判定する第４のステップと、
第４のステップで真の判定がなされた際、決定された当該向きに、ページを捲る動作を発動させる第５のステップと
を有するページ捲り方法が提供される。